(57)【要約】【課題】永久磁石の保持において回転子と固定子とのギャップへの影響を回避できる回転子および回転電機を提供する。【解決手段】２つのヨーク２１、２２の極部２０の一端２０Ａが軸方向Ｙに対向して互いに噛み合うように配置された誘導子２と、誘導子２の極部２０の径方向Ｘの内側Ｘ２に配置された界磁巻線４と、２つのヨーク２１、２２の極部２０の間に配置された磁石３と、極部２０および磁石３を保持する保持体５とを備えた回転子１０であって、保持体５は、磁石３の径方向Ｘの外側Ｘ１の軸方向Ｙに沿って形成される第一保持部５１と、第一保持部５１の軸方向Ｙの端部を周方向Ｚに連結し極部２０の軸方向Ｙの一端２０Ａを保持する第二保持部５２とを有し、第二保持部５２は、誘導子２を周方向Ｚに囲む方向に屈曲された変曲点５３を備える。【選択図】図２
2017188997.tif 000002
【特許請求の範囲】
【請求項１】
軸方向に一端が突出する爪状の極部が周方向に間隔を隔てて複数形成され、前記極部の軸方向の他端が環状に連結された２つのヨークを、２つの前記ヨークの前記極部の一端が軸方向に対向して互いに噛み合うように配置された誘導子と、
前記誘導子の前記極部の径方向の内側に配置された界磁巻線と、
２つの前記ヨークの前記極部の間に配置された永久磁石と、
前記極部および前記永久磁石を保持する保持体とを備えた回転子であって、
前記保持体は、前記永久磁石の径方向の外側の軸方向に沿って形成される第一保持部と、前記第一保持部の軸方向の端部を周方向に連結し前記極部の軸方向の一端を保持する第二保持部とを有し、
前記第二保持部は、前記誘導子を周方向に囲む方向に屈曲された変曲点を備える回転子。
【請求項２】
前記第二保持部は、周方向の中央位置の径方向にスリット部を備え、
前記第二保持部の前記変曲点は、前記スリット部と周方向の同位置に形成される請求項１に記載の回転子。
【請求項３】
前記第二保持部は、前記第一保持部との連結位置にスリット部を備え、
前記第二保持部の前記変曲点は、前記スリット部と周方向の同位置に形成される請求項１に記載の回転子。
【請求項４】
前記スリット部は、径方向に開口して形成される請求項２または請求項３に記載の回転子。
【請求項５】
前記第二保持部は、径方向の内側に突出して形成され前記永久磁石の軸方向の端部を保持する請求項１から請求項４のいずれか１項に記載の回転子。
【請求項６】
前記第二保持部は、前記極部の一端と締結する締結部を備える請求項１から請求項５のいずれか１項に記載の回転子。
【請求項７】
請求項１から請求項６のいずれか１項の回転子と、
前記回転子と同軸上に配置された固定子とを備えた回転電機。
【発明の詳細な説明】
【技術分野】
【０００１】
この発明は、永久磁石の保持において回転子と固定子とのギャップへの影響を回避できる回転子および回転電機に関するものである。
【背景技術】
【０００２】
従来の磁石を用いた回転電機は、エネルギー効率には優れるが、磁界が一定であるため、高回転時に逆起電力（逆起電圧）が大きくなり、回転制御が困難になるという問題点があった。
【０００３】
幅広い運転領域が求められる電気自動車用の回転電機や圧縮機用の回転電機では、負のｄ軸電流を流すことで逆起電力を弱め界磁制御を行い、高回転領域の制御を行う。しかし、この方法ではトルクに用いないｄ軸電流を流すため、高回転領域の効率が悪化する。そこで、回転電機の磁界を運転中に変化させ、高回転時の逆起電力を抑制する回転電機が提案された。
【０００４】
その一つとして、従来、回転子に磁極（ポール）を用いる。磁極の極間に磁石を配置する。そして、界磁巻線を利用して、回転子の磁束を回転数毎に制御する。このような回転子の構造的な課題として、極間に配置した磁石をどのように保持するかという点が存在した。そして、特許文献１や特許文献２では、保護カバーを用いて磁石を固定する回転子が示されている。
【先行技術文献】
【特許文献】
【０００５】
【特許文献１】特許第３３８２８２５号公報
【特許文献２】特表２００３−５０８００３号公報
【発明の概要】
【発明が解決しようとする課題】
【０００６】
従来の特許文献１に記載の回転子は、回転子を削り、保持具のスペースを確保する。よって、ギャップの磁束密度の低下の要因になるという問題点があった。また、径方向の固定が存在しないため、遠心力に対して弱いという問題点があった。
【０００７】
また、特許文献２に記載の回転子では、板金から抜き出した保持部材を丸める時には、直線状の物体に対して変曲点を形成する必要がある。よって、特許文献２においては、直線部に歪みおよび変形が発生する可能性がある。その場合、直線部はロータとステータとの間のギャップに面する箇所であり、変曲点に形成される加工シワによる多少の変形箇所とステータとが干渉するという問題点があった。
【０００８】
この発明は上記のような課題を解決するためになされたものであり、永久磁石の保持において回転子と固定子とのギャップへの影響を回避できる回転子および回転電機を提供することを目的とする。
【課題を解決するための手段】
【０００９】
この発明の回転子は、
軸方向に一端が突出する爪状の極部が周方向に間隔を隔てて複数形成され、前記極部の軸方向の他端が環状に連結された２つのヨークを、２つの前記ヨークの前記極部の一端が軸方向に対向して互いに噛み合うように配置された誘導子と、
前記誘導子の前記極部の径方向の内側に配置された界磁巻線と、
２つの前記ヨークの前記極部の間に配置された永久磁石と、
前記極部および前記永久磁石を保持する保持体とを備えた回転子であって、
前記保持体は、前記永久磁石の径方向の外側の軸方向に沿って形成される第一保持部と、前記第一保持部の軸方向の端部を周方向に連結し前記極部の軸方向の一端を保持する第二保持部とを有し、
前記第二保持部は、前記誘導子を周方向に囲む方向に屈曲された変曲点を備えるものである。
また、この発明の回転電機は、
前記回転子と、
前記回転子と同軸上に配置された固定子とを備えたものである。
【発明の効果】
【００１０】
この発明の回転子および回転電機によれば、
永久磁石の保持において回転子と固定子とのギャップへの影響を回避できる。
【図面の簡単な説明】
【００１１】
【図１】この発明の実施の形態１における回転電機の構成を示す断面図である。
【図２】図１に示した回転電機の回転子の構成を示す斜視図である。
【図３】図２に示した回転子の構成を示す底面図である。
【図４】図２に示した回転子の構成を示す分解斜視図である。
【図５】図２に示した回転子の構成を示す斜視図である。
【図６】図２に示した回転子の保持体の構成を示す斜視図である。
【図７】図６に示した保持体の構成を展開して示す展開平面図である。
【図８】図６に示した保持体の構成を展開して示す展開平面図である。
【図９】図８に示した回転電機の回転子の保持体の構成を示す斜視図である。
【図１０】図２に示した回転電機の回転子の製造方法を示す斜視図である。
【図１１】この発明の実施の形態２における回転電機の回転子の構成を示す斜視図である。
【図１２】図１１に示した回転子の構成を示す底面図である。
【図１３】図１１に示した回転電機の回転子の保持体の構成を示す斜視図である。
【図１４】図１３に示した保持体の構成を展開して示す展開平面図である。
【図１５】図１４に示した保持体の構成を示す斜視図である。
【図１６】図１１に示した回転子のヨークの構成を示す斜視図である。
【図１７】この発明の実施の形態３における回転電機の回転子の構成を示す斜視図である。
【図１８】図１７に示した回転子の構成を示す底面図である。
【図１９】図１７に示した回転電機の回転子の保持体の構成を示す斜視図である。
【図２０】図１９に示した保持体の構成を展開して示す展開平面図である。
【図２１】図２０に示した保持体の構成を示す斜視図である。
【発明を実施するための形態】
【００１２】
実施の形態１．
以下、本願発明の実施の形態について説明する。
図１はこの発明の実施の形態１における回転電機の構成を示す断面図である。
図２は図１に示した回転電機の回転子の構成を示す斜視図である。
図３は図２に示した回転子の構成を示す底面図である。
図４は図２に示した回転電機の回転子の構成を示す分解斜視図である。
図５は図２に示した回転電機の回転子の構成を示す斜視図である。
但し、図４および図５は保持体は示していない。
【００１３】
図６は図２に示した回転電機の回転子の保持体の構成を示す斜視図である。
図７は図６に示した回転電機の回転子の保持体の構成を展開して示す展開平面図である。
図７は保持体を部材から打ち抜いた状態を示す平面図である。
図８は図６に示した回転電機の回転子の保持体の構成を展開して示す展開平面図である。
図８は図７に示した保持体の状態から一部折り曲げた状態を示した図である。
【００１４】
図９は図８に示した回転電機の回転子の保持体の構成を示す斜視図である。
図１０は図２に示した回転電機の回転子の製造方法を示す斜視図である。
図１０は図５に示した状態の回転子に図９に示した状態の保持体を設置する方法を示した図である。
【００１５】
図１において、回転電機１００は、ハウジング８と、固定子７と、回転子１０とを備える。ハウジング８は、有底円筒状のフレーム８１と、フレーム８１の開口部を塞口する端板８２とから構成される。固定子７は、フレーム８１の円筒部に焼ばめ、または圧入で嵌合して固着されて設置される。固定子７は、固定子巻線７０を備える。固定子巻線７０は集中巻であっても、分布巻であってもよい。
【００１６】
固定子巻線７０に交流電流を流すと回転磁界を発生し、回転子１０の磁極と相互作用してトルクを発生する。回転子１０は、フレーム８１の底部および端板８２にベアリング８３を介して回転軸１により回転可能に支持され設置される。スリップリング８４は、回転軸１に設置されている。
【００１７】
図２から図５において、回転子１０は、誘導子２と、永久磁石（以下、磁石と略して示す）３と、界磁巻線（以下、巻線と略して示す）４と、保持体５とから構成される。尚、図４および図５においては、保持体５を設置する前の状態を示す。また、径方向Ｘとは、回転子１０の径方向Ｘを指す。図２に示すように、径方向Ｘの外側Ｘ１は、回転子１０の軸から径方向Ｘに対して外側方向を指す。径方向Ｘの内側Ｘ２は、回転子１０の軸の外側から径方向Ｘに対して回転子１０の軸の中心方向を指す。
【００１８】
誘導子２は、２つのヨーク２１、２２にて形成される。ヨーク２１、２２は、軸方向Ｙに一端２０Ａが突出する爪状の極部２０が周方向Ｚに間隔を隔てて複数形成されている。ヨーク２１、２２は、極部２０の軸方向Ｙの他端が連結されて環状に形成される。本実施の形態１においては、爪状の極部２０が各ヨーク２１、２２において、８個（８極）にて形成されている例を示している。尚、極部２０の数は、この例に限られるものではない。
【００１９】
誘導子２は、２つのヨーク２１、２２の極部２０の一端２０Ａが軸方向Ｙに対向して互いに噛み合うように配置される。巻線４は、誘導子２の極部２０の径方向Ｘの内側Ｘ２に配置される。巻線４には、図１に示したスリップリング８４を介して外部から給電される。
【００２０】
磁石３は、２つのヨーク２１、２２の極部２０の間にそれぞれ配置される。よって磁石３は、爪状に極部２０の形状に沿って軸方向Ｙに対して傾斜して配置される。本実施の形態１においては、極部２０が８個（８極）の例にて示しているため、磁石３は全部で１６個が設置される。また、磁石３は、形成が容易な形状である矩形体にて形成される。回転軸１は、２つのヨーク２１、２２および巻線４の中心部に挿入して配置される。これにより、回転子１０は一体に形成される。
【００２１】
図６、図２および図３において、保持体５の構成について説明する。保持体５は、極部２０間の磁束が短絡しないよう、非磁性金属材にて形成されることが望ましい。保持体５は、誘導子２の径方向Ｘの外側Ｘ１の周方向Ｚに設置され、極部２０および磁石３を保持する。保持体５は、第一保持部５１および第二保持部５２にて形成される。
【００２２】
第一保持部５１は、各磁石３の径方向Ｘの外側Ｘ１の軸方向Ｙに沿うように直線的に形成される。第一保持部５１は、爪状の極部２０間に磁石３が設置されているため、爪状に沿って軸方向Ｙに対して傾斜して形成される。そして第一保持部５１は、磁石３の径方向Ｘの外側Ｘ１を保持する。
【００２３】
第二保持部５２は、第一保持部５１の軸方向Ｙの端部を周方向Ｚに連結して形成される。よって、第二保持部５２は、第一保持部５１の軸方向Ｙの上側および下側の両端にそれぞれ形成される。第二保持部５２は、極部２０の軸方向Ｙの一端２０Ａおよび磁石３の端部３Ａ、３Ｂの一部を覆うように径方向Ｘの内側Ｘ２に延在して形成される。
【００２４】
第二保持部５２は、誘導子２を周方向Ｚに囲む方向に屈曲された変曲点５３を備える。第二保持部５２は、周方向Ｚの中央位置にスリット部５４が形成される。スリット部５４は、径方向Ｘの内側Ｘ２に開口される。スリット部５４は、径方向Ｘの外側Ｘ１の端部に連続して穴部５５が形成される。よって変曲点５３は、第二保持部５２のスリット部５４にて屈曲されて形成される点であり、スリット部５４と周方向Ｚの同位置に形成される。
【００２５】
次に上記のように構成された実施の形態１の回転子１０の保持体５の製造方法、および保持体５を回転子１０に設置する製造方法について、図７から図１０を交えて説明する。まず、図７に示すように、保持体５を板金材から抜き出して形成する。保持体５の抜き出し方法は、プレスによる打ち抜き方法、または、ワイヤカット、またはレーザ加工などの方法が可能である。
【００２６】
第二保持部５２は、第一保持部５１同士を軸方向Ｙの両端でそれぞれ周方向Ｚに連結して形成する。この時点で、第二保持部５２はさらに軸方向Ｙに沿って延在して形成される。この際、保持体５を周方向Ｚに丸めて環状に形成することを考慮して、スリット部５４はＶ字状に形成する。また、スリット部５４のＶ字状の下端部には、穴部５５を連続して形成する。また、スリット部５４の開口は、軸方向Ｙの端部側にそれぞれ形成する。
【００２７】
次に、図８および図９に示すように、第二保持部５２を径方向Ｘの内側Ｘ２となるように折り曲げる。よって、この時点で、第二保持部５２は径方向Ｘの内側Ｘ２に延在して形成される。また、スリット部５４の開口は、径方向Ｘに形成される。次に、図４に示すように、２つのヨーク２１、２２を互いの極部２０の一端２０Ａが軸方向Ｙに対向して互いに噛み合うように配置する。
【００２８】
そして、２つのヨーク２１、２２の中央部に巻線４を配置する。次に、これらヨーク２１、２２、巻線４を回転軸１に挿入する。次に、２つのヨーク２１、２２の極部２０の間に磁石３を設置し、図５に示すように構成する。この際、磁石３は、変位や振動抑制のために誘導子２の爪状の極部２０の間に接着剤等を用いて固定してもよい。
【００２９】
次に、図１０に示すように、誘導子２の径方向Ｘの外側Ｘ１から保持体５を矢印Ｒの方向に巻きとる、もしくは巻きつけて、保持体５を設置する。この巻きつけの時の変形は、Ｖ字状のスリット部５４が当接することにより変曲点５３が起点となり、第二保持部５２に誘導子２を周方向Ｚに囲む方向に屈曲される。
【００３０】
また、第一保持部５１は、磁石３の径方向Ｘの外側Ｘ１の軸方向Ｙに沿って設置して保持する。また、第二保持部５２は、極部２０の軸方向Ｙの一端２０Ａ、および、磁石３の軸方向Ｙの端部３Ａ、３Ｂを覆い保持する。
【００３１】
次に、図２に示すように、保持体５の第二保持部５２の穴部５５に対し矢印Ｑの方向から溶接を行う。そして、誘導子２の極部２０の一端２０Ａと保持体５の第二保持部５２とを接合する。そして回転子１０を形成する。ここで、溶接方法はスポット溶接、アーク溶接、ＴＩＧ溶接等どのような溶接方法であってもよい。
【００３２】
また、穴部５５を用いて溶接を行うので、アーク溶接やＴＩＧ溶接のような点溶接であっても行うことができる。また、溶接部分を外部から確認することができるため、溶接不良を発見しやすく品質の改善につながる。さらに、図１に示すように、回転子１０と、回転子１０と同軸上に固定子７とを設置し、回転電機１００を形成する。
【００３３】
上記のように構成された実施の形態１の回転子および回転電機によれば、第二保持部に変曲点を形成するため、保持体を巻きつけて設置する際に、その変形による加工シワをエアギャップに隣接する第一保持部に形成されることが防止される。よって、磁石の保持における他の箇所への影響を回避できる。
【００３４】
また、第二保持部の周方向の中央位置の径方向にスリット部により、変曲点は、スリット部と周方向の同位置に確実に形成できる。また、スリット部は、径方向に開口することで、変曲点をさらに形成しやすくなり、生産性が向上する。
【００３５】
そして、このように固定することで、遠心力で飛び出そうとする磁石を第一保持部で保持し、第一保持部の軸方向の両端は第二保持部が形成され極部の一端に接合されているため、高強度で磁石を保持することができる。
【００３６】
また、第一保持部は、磁石と接するため、万が一、磁石が割れた時でも、磁石の破片が固定子と回転子とのエアギャップに侵入することを抑制する。
また、第二保持部は、磁石の軸方向の端部を保持しているため、磁石が軸方向に飛び出すことを抑制する。
また、第二保持部の穴部にてヨークの極部の一端との接合しているため、固定による接合力のばらつきが低減でき、品質が向上する。
【００３７】
実施の形態２．
図１１はこの発明の実施の形態２における回転電機の回転子の構成を示す斜視図である。
図１２は図１１に示した回転子の構成を示す底面図である。
図１３は図１１に示した回転電機の回転子の保持体の構成を示す斜視図である。
図１４は図１３に示した回転電機の回転子の保持体の構成を展開して示す展開平面図である。
図１５は図１３に示した回転電機の回転子の保持体の構成を展開して示す斜視図である。
図１６は図１１に示した回転子のヨークの構成を示す斜視図である。
【００３８】
図において、上記実施の形態１と同様の部分は同一符号を付して説明を省略する。
保持体５の第二保持部５６は、第一保持部５１の軸方向Ｙの端部を周方向Ｚに連結して形成される。よって、第二保持部５６は、第一保持部５１の軸方向Ｙの上側および下側の両端にそれぞれ形成される。
【００３９】
第二保持部５６は、軸延在部５６Ａと、径延在部５６Ｂとから構成される。軸延在部５６Ａは、第一保持部５１の軸方向Ｙの端部を周方向Ｚに連結するとともに、軸方向Ｙに延在して形成される。径延在部５６Ｂは、第二保持部５６の軸延在部５６Ａの周方向Ｚの中央位置に、極部２０の軸方向Ｙの一端２０Ａを覆うように径方向Ｘの内側Ｘ２に延在して形成される。
【００４０】
よって、軸延在部５６Ａと径延在部５６Ｂとの間には、径延在部５６Ｂを径方向Ｘの形成するためのスリット部５７が形成される。尚、本実施の形態２においては、スリット部５７は、径延在部５６Ｂを径方向Ｘに折り曲げるのに必要な長さより長く（図１４および図１５の長さＰにて示す部分）形成されている。
【００４１】
第二保持部５６は、誘導子２を周方向Ｚに囲む方向に屈曲された変曲点５３を備える。第二保持部５６のスリット部５７は、第二保持部５６の周方向Ｚの二箇所に形成される。そして、第二保持部５６の変曲点５３は、スリット部５７と周方向Ｚの同位置に形成される。
【００４２】
よって、変曲点５３は、第二保持部５６と第一保持部５１との連結位置に形成される。すなわち、変曲点５３は、スリット部５７と同様に、第二保持部５６の軸延在部５６Ａの周方向Ｚの二箇所に形成される。
【００４３】
図１６において、ヨーク２１、２２の極部２０の一端２０Ａには、穴部２３が形成される。この穴部２３は、第二保持部５６の穴部５５と軸方向Ｙにおいて対向する箇所に形成される。そして、図１２に示すように、ヨーク２１、２２の穴部２３と、第二保持部５６の穴部５５とを介してネジ６が螺合して設置され締結部が形成される。
【００４４】
次に上記のように構成された実施の形態２の回転子１０の保持体５の製造方法および回転子１０の製造方法について、図１４および図１５を交えて説明する。まず、上記実施の形態１と同様に、図１４に示すように、保持体５を板金材から抜き出して形成する。第二保持部５６は、第一保持部５１同士を軸方向Ｙの両端でそれぞれ周方向Ｚに連結して形成する。
【００４５】
そして、第二保持部５６と第一保持部５１との連結位置にスリット部５７が形成する。よってこの時点で、第二保持部５６は、第一保持部５１を連結する軸延在部５６Ａと、軸延在部５６Ａの周方向Ｚの中央位置に軸方向Ｙに沿って延在する径延在部５６Ｂを形成される。また、径延在部５６Ｂには、穴部５５を形成する。
【００４６】
次に、図１５に示すように、第二保持部５６の径延在部５６Ｂを径方向Ｘの内側Ｘ２となるようにスリット部５７を介して折り曲げる。この際、スリット部５７が長く形成されているため、スリット部５７の長さＰの部分が、第一保持部５１と第二保持部５６との連結位置の軸方向Ｙに形成された状態となる。
【００４７】
次に、上記実施の形態１と同様に、誘導子２の径方向Ｘの外側Ｘ１から保持体５を巻き取る、もしくは巻きつけて、保持体５を設置する。この巻きつけの時の変形は、スリット部５７が起点となり第二保持部５２に誘導子２を周方向Ｚに囲む方向に屈曲され変曲点５３が、一つの第二保持部５６の軸延在部５６Ａに対して周方向Ｚの二箇所に形成される。この際、スリット部５７の長さＰの部分が存在するため、軸延在部５６Ａが変曲点５３の箇所にて屈曲しやすい。
【００４８】
そして、上記実施の形態１と同様に、第一保持部５１は、磁石３の径方向Ｘの外側Ｘ１の軸方向Ｙに沿って設置して保持する。また、第二保持部５６の径延在部５６Ｂは、極部２０の軸方向Ｙの一端２０Ａを保持する。次に、図１２に示すように、保持体５の第二保持部５６の穴部５５とヨーク２１、２２の極部２０の穴部２３とにネジ６を螺合して締結する。
【００４９】
上記のように構成された実施の形態２の回転子および回転電機によれば、上記実施の形態１と同様な効果を奏するのはもちろんのこと、第二保持部に変曲点を周方向の二箇所に形成するため、保持体を巻きつけて設置する際に、その変形による加工シワをエアギャップに隣接する第一保持部に形成されることがさらに防止される。また、ネジによる締結部にて保持体の第二保持部と極部の一端とを締結しているので、固定における締結力にばらつきが低減でき、品質が向上する。
【００５０】
実施の形態３．
図１７はこの発明の実施の形態２における回転電機の回転子の構成を示す斜視図である。
図１８は図１７に示した回転子の構成を示す底面図である。
図１９は図１７に示した回転電機の回転子の保持体の構成を示す斜視図である。
図２０は図１９に示した回転電機の回転子の保持体の構成を展開して示す展開平面図である。
図２１は図１９に示した回転電機の回転子の保持体の構成を展開して示す斜視図である。
【００５１】
図において、上記各実施の形態と同様の部分は同一符号を付して説明を省略する。保持体５の第二保持部５６は、軸延在部５６Ａおよび径延在部５６Ｂに加えて、突出部５６Ｃを備える。突出部５６Ｃは、軸延在部５６Ａの周方向Ｚの両端に、径方向Ｘの内側Ｘ２に突出して形成される。突出部５６Ｃは、磁石３の軸方向Ｙの端部３Ａ、３Ｂを保持する。
よって、軸延在部５６Ａと突出部５６Ｃとの間には、突出部５６Ｃを径方向Ｘの形成するためのスリット部５８が形成される。
【００５２】
次に上記のように構成された実施の形態３の回転子１０の保持体５の製造方法について、図２０および図２１を交えて説明する。まず、上記各実施の形態と同様に、図２０に示すように、保持体５を板金材から抜き出して形成する。第二保持部５６は、第一保持部５１同士を軸方向Ｙの両端でそれぞれ周方向Ｚに連結して形成する。そして、第二保持部５６と第一保持部５１との連結位置の軸方向Ｙにスリット部５７を形成する。
【００５３】
よってこの時点で、第二保持部５６は、第一保持部５１を連結する軸延在部５６Ａと、軸延在部５６Ａの周方向Ｚの中央位置に軸方向Ｙに沿って延在する径延在部５６Ｂを形成される。また、径延在部５６Ｂには、穴部５５を形成する。また、軸延在部５６Ａの周方向Ｚの両端には突出部５６Ｃが軸方向Ｙに沿って延在して形成される。そして、第二保持部５６と第一保持部５１との連結位置の周方向Ｚにスリット部５８を形成する。
【００５４】
次に、図２１に示すように、第二保持部５６の径延在部５６Ｂを径方向Ｘの内側Ｘ２となるようにスリット部５７を介して折り曲げる。この際、スリット部５７が長く形成されているため、スリット部５７の長さＰの部分が、第一保持部５１と第二保持部５６との連結位置の軸方向Ｙに形成された状態となる。また、第二保持部５６の突出部５６Ｃを径方向Ｘの内側Ｘ２となるようにスリット部５８を介して折り曲げる。
【００５５】
次に、上記各実施の形態と同様に、誘導子２の径方向Ｘの外側Ｘ１から保持体５を巻き取る、もしくは巻きつけて、保持体５を設置する。そして、第一保持部５１は、磁石３の径方向Ｘの外側Ｘ１の軸方向Ｙに沿って設置して保持する。また、第二保持部５６の径延在部５６Ｂは、極部２０の軸方向Ｙの一端２０Ａを保持する。また、第二保持部５６の突出部５６Ｃは、磁石３の軸方向Ｙの端部３Ａ、３Ｂを保持する。
【００５６】
上記のように構成された実施の形態３の回転子および回転電機によれば、上記各実施の形態と同様な効果を奏するのはもちろんのこと、第二保持部の突出部が磁石の軸方向の端部を保持するため、磁石の飛び出しを抑制する。但し、第二保持部は磁石の軸方向の飛び出しを防止するものであるため、磁石の変位や振動抑制のために、誘導子の爪状の極部に接着剤等で固定することも考えられる。
【００５７】
尚、本発明は、その発明の範囲内において、各実施の形態を自由に組み合わせたり、各実施の形態を適宜、変形、省略することが可能である。
【符号の説明】
【００５８】
１  回転軸、２  誘導子、３  磁石、３Ａ  端部、３Ｂ  端部、４  巻線、
５  保持体、６  ネジ、７  固定子、８  ハウジング、１０  回転子、２０  極部、
２０Ａ  一端、２１  ヨーク、２２  ヨーク、２３  穴部、５１  第一保持部、
５２  第二保持部、５３  変曲点、５４  スリット部、５５  穴部、５６  第二保持部、５６Ａ  軸延在部、５６Ｂ  径延在部、５７  スリット部、５８  スリット部、
７０  固定子巻線、８１  フレーム、８２  端板、８３  ベアリング、
８４  スリップリング、１００  回転電機、Ｐ  長さ、Ｑ  矢印、Ｒ  矢印、
Ｘ  径方向、Ｙ  軸方向、Ｚ  周方向、Ｘ１  外側、Ｘ２  内側。
【図１】
2017188997.tif 000003
【図２】
2017188997.tif 000004
【図３】
2017188997.tif 000005
【図４】
2017188997.tif 000006
【図５】
2017188997.tif 000007
【図６】
2017188997.tif 000008
【図７】
2017188997.tif 000009
【図８】
2017188997.tif 000010
【図９】
2017188997.tif 000011
【図１０】
2017188997.tif 000012
【図１１】
2017188997.tif 000013
【図１２】
2017188997.tif 000014
【図１３】
2017188997.tif 000015
【図１４】
2017188997.tif 000016
【図１５】
2017188997.tif 000017
【図１６】
2017188997.tif 000018
【図１７】
2017188997.tif 000019
【図１８】
2017188997.tif 000020
【図１９】
2017188997.tif 000021
【図２０】
2017188997.tif 000022
【図２１】
2017188997.tif 000023